(57)【要約】【課題】外キャップの通気孔と内キャップの凸部とのシール部の経時によるクリープ変形を回避し、長期にわたりシール部の十分なシール性を得る。【解決手段】筆記具用キャップ1 は、外キャップ２内に、軸方向に移動可能な内キャップ３と、該内キャップ３を後方へ付勢する弾発体４とを設けてなる。外キャップ２の頂壁２１に貫設した通気孔２３の内面に、傾斜面よりなる環状シール内面部２４を設ける。環状シール内面部２４と外キャップ２とを径方向に延びる薄肉部２５により連結する。内キャップ３の頂壁３１に設けた凸部３３の外面に、傾斜面よりなる環状シール外面部３４を設ける。キャップ１を筆記具本体に装着した際、環状シール内面部２４と環状シール外面部３４とが密接するとともに、薄肉部２５が前方に撓み変形する。【選択図】  図１
2005041096.tif 000002
【特許請求の範囲】
【請求項１】
外キャップ内に、軸方向に移動可能な内キャップと、該内キャップを後方へ付勢する弾発体とを設け、前記外キャップの頂壁に通気孔を貫設し、前記内キャップの頂壁に前記通気孔を塞ぐ凸部を設け、前記外キャップの側壁内面に筆記具本体のペン先側の外面と気密嵌合する環状気密部を設けた筆記具用キャップであって、前記外キャップを合成樹脂の射出成形体により構成し、前記外キャップの頂壁における通気孔を包囲する部分に、径方向に延びる薄肉部を形成し、前記外キャップの通気孔の内面に、後方に向かうに従い拡径する傾斜面よりなる環状シール内面部を設け、前記内キャップの凸部の外面に、後方に向かうに従い拡径する傾斜面よりなる環状シール外面部を設け、キャップを筆記具本体のペン先側に装着した際、前記環状シール内面部と前記環状シール外面部とが密接するとともに、前記薄肉部が前方に撓み変形してなることを特徴とする筆記具用キャップ。
【請求項２】
外キャップ内に、軸方向に移動可能な内キャップと、該内キャップを後方へ付勢する弾発体とを設け、前記外キャップの頂壁に通気孔を貫設し、前記内キャップの頂壁に前記通気孔を塞ぐ凸部を設け、前記外キャップの側壁内面に筆記具本体のペン先側の外面と気密嵌合する環状気密部を設けた筆記具用キャップであって、前記内キャップを合成樹脂の射出成形体により構成し、前記内キャップの頂壁における凸部を包囲する部分に、径方向に延びる薄肉部を形成し、前記内キャップの凸部の外面に、後方に向かうに従い拡径する傾斜面よりなる環状シール外面部を設け、前記外キャップの通気孔の内面に、後方に向かうに従い拡径する傾斜面よりなる環状シール内面部を設け、キャップを筆記具本体のペン先側に装着した際、前記環状シール内面部と前記環状シール外面部とが密接するとともに、前記薄肉部が後方に撓み変形してなることを特徴とする筆記具用キャップ。
【請求項３】
外キャップ内に、軸方向に移動可能な内キャップと、該内キャップを後方へ付勢する弾発体とを設け、前記外キャップの頂壁に通気孔を貫設し、前記内キャップの頂壁に前記通気孔を塞ぐ凸部を設け、前記外キャップの側壁内面に筆記具本体のペン先側の外面と気密嵌合する環状気密部を設けた筆記具用キャップであって、前記内キャップを合成樹脂の射出成形体により構成し、前記内キャップの凸部の外面に径方向外方に延びる薄肉部を設け、前記薄肉部の周縁部に、後方に向かうに従い拡径する傾斜面よりなる環状シール外面部を設け、前記外キャップの通気孔の内面に、後方に向かうに従い拡径する傾斜面よりなる環状シール内面部を設け、キャップを筆記具本体のペン先側に装着した際、前記環状シール内面部と前記環状シール外面部とが密接するとともに、前記薄肉部が後方に撓み変形してなることを特徴とする筆記具用キャップ。
【請求項４】
前記環状シール内面部または前記環状シール外面部の少なくとも一方を凸曲面とする請求項１、２または３のいずれかに記載の筆記具用キャップ。
【発明の詳細な説明】
【技術分野】
【０００１】
本発明は、筆記具用キャップに関する。詳細には、外キャップの内部に前後方向に移動可能に内キャップを収容した筆記具用キャップに関する。尚、本発明において、「前」とはキャップ閉鎖側を指し、「後」とはキャップ開口側を指す。
【背景技術】
【０００２】
従来、この種の筆記具用キャップにおいて、特許文献１には、先端部に垂直方向の通孔（本発明の通気孔）を穿設し、キャップ内に筒状の内キャップを摺動自在に遊挿し、かつ先端部内に常時は内キャップを末端方向に弾発する弾発装置を装着して、通孔と末端開口を連通状態とし、キャップを塗布具軸筒に装着するとき該軸筒が該内キャップ末端に当接して、これを先端方向に移行させ、内キャップが通孔を密閉することを特徴とする塗布具のキャップが開示されている。また、特許文献１には、前記内キャップが通気孔の周囲の外キャップ内面と環状パッキンを介在させ密接したり、あるいは内キャップの肩部が外キャップの段部に直接、密接する構造が開示されている。
【０００３】
特許文献２には、キャップと、そのキャップ内に装着されたバネによってキャップ開口端に向かって押される内キャップとを有し、上記キャップを筆記具に嵌着した状態では内キャップが筆記先端部分に嵌着して該筆記先端部分の空間を気密状態とする筆記具用キャップにおいて、上記キャップは頂部内側中央に紡錘型突出部を形成するとともに、外気と通じる通気孔をキャップの頂面に穿設し、上記キャップは、キャップの紡錘型突出部と対向する先端箇所を先端に向けて薄肉テーパー状筒部としてなり、上記キャップが筆記具に嵌着した状態では内キャップの先端箇所は紡錘型突出部の外面により僅かに拡開された状態で均一に密着するようにしたことを特徴とする筆記具用キャップが開示されている。
【０００４】
【特許文献１】実開平１−１３９５９５号明細書及び図面
【特許文献２】実用新案登録第２５７９６９９号公報
【発明の開示】
【発明が解決しようとする課題】
【０００５】
前記特許文献１のキャップは、外キャップと内キャップのシール部（具体的には、環状パッキン、段部、肩部等）自体が経時によりクリープ変形し、通気孔とのシール性が不十分となるおそれがある。
【０００６】
また、特許文献２のキャップは、紡錘型突出部の外面に、薄肉テーパー状筒部が拡開された状態で密着する構造であるため、シール部である薄肉テーパー状筒部が、経時によるクリープ変形を生じやすい。その結果、シール部でのシール性が不十分となるおそれがある。
【０００７】
本発明は前記従来の問題点を解決するものであって、外キャップの通気孔と内キャップの凸部が密接するシール部の、経時によるクリープ変形を回避し、長期に渡りシール部の十分なシール性を得ることができる筆記具用キャップを提供しようとするものである。
【課題を解決するための手段】
【０００８】
〔１〕本発明は、外キャップ２内に、軸方向に移動可能な内キャップ３と、該内キャップ３を後方へ付勢する弾発体４とを設け、前記外キャップ２の頂壁２１に通気孔２３を貫設し、前記内キャップ３の頂壁３１に前記通気孔２３を塞ぐ凸部３３を設け、前記外キャップ２の側壁２２内面に筆記具本体５のペン先側の外面と気密嵌合する環状気密部２８を設けた筆記具用キャップ１であって、前記外キャップ２を合成樹脂の射出成形体により構成し、前記外キャップ２の頂壁２１における通気孔２３を包囲する部分に、径方向に延びる薄肉部２５を形成し、前記外キャップ２の通気孔２３の内面に、後方に向かうに従い拡径する傾斜面よりなる環状シール内面部２４を設け、前記内キャップ３の凸部３３の外面に、後方に向かうに従い拡径する傾斜面よりなる環状シール外面部３４を設け、キャップ１を筆記具本体５のペン先側に装着した際、前記環状シール内面部２４と前記環状シール外面部３４とが密接するとともに、前記薄肉部２５が前方に撓み変形してなること（請求項１）を要件とする。
【０００９】
前記請求項１の筆記具用キャップ１によれば、キャップ１を筆記具本体５のペン先側に装着した際、外キャップ２の頂壁２１の薄肉部２５が前方に撓み変形することにより、環状シール内面部２４及び環状シール外面部３４が経時によりクリープ変形することを回避し、長期にわたり環状シール内面部２４と環状シール外面部３４との十分なシール性を得ることができる。
【００１０】
〔２〕本発明は、外キャップ２内に、軸方向に移動可能な内キャップ３と、該内キャップ３を後方へ付勢する弾発体４とを設け、前記外キャップ２の頂壁２１に通気孔２３を貫設し、前記内キャップ３の頂壁３１に前記通気孔２３を塞ぐ凸部３３を設け、前記外キャップ２の側壁２２内面に筆記具本体５のペン先側の外面と気密嵌合する環状気密部２８を設けた筆記具用キャップ１であって、前記内キャップ３を合成樹脂の射出成形体により構成し、前記内キャップ３の頂壁３１における凸部３３を包囲する部分に、径方向に延びる薄肉部３５を形成し、前記内キャップ３の凸部３３の外面に、後方に向かうに従い拡径する傾斜面よりなる環状シール外面部３４を設け、前記外キャップ２の通気孔２３の内面に、後方に向かうに従い拡径する傾斜面よりなる環状シール内面部２４を設け、キャップ１を筆記具本体５のペン先側に装着した際、前記環状シール内面部２４と前記環状シール外面部３４とが密接するとともに、前記薄肉部３５が後方に撓み変形してなること（請求項２）を要件とする。
【００１１】
前記請求項２の筆記具用キャップ１によれば、キャップ１を筆記具本体５のペン先側に装着した際、内キャップ３の頂壁３１の薄肉部３５が後方に撓み変形することにより、環状シール内面部２４及び環状シール外面部３４が経時によりクリープ変形することを回避し、長期にわたり環状シール内面部２４と環状シール外面部３４との十分なシール性を得ることができる。
【００１２】
〔３〕本発明は、外キャップ２内に、軸方向に移動可能な内キャップ３と、該内キャップ３を後方へ付勢する弾発体４とを設け、前記外キャップ２の頂壁２１に通気孔２３を貫設し、前記内キャップ３の頂壁３１に前記通気孔２３を塞ぐ凸部３３を設け、前記外キャップ２の側壁２２内面に筆記具本体５のペン先側の外面と気密嵌合する環状気密部２８を設けた筆記具用キャップ１であって、前記内キャップ３を合成樹脂の射出成形体により構成し、前記内キャップ３の凸部の３３外面に径方向外方に延びる薄肉部３５を設け、前記薄肉部３５の周縁部に、後方に向かうに従い拡径する傾斜面よりなる環状シール外面部３４を設け、前記外キャップ２の通気孔２３の内面に、後方に向かうに従い拡径する傾斜面よりなる環状シール内面部２４を設け、キャップ１を筆記具本体５のペン先側に装着した際、前記環状シール内面部２４と前記環状シール外面部３４とが密接するとともに、前記薄肉部３５が後方に撓み変形してなること（請求項３）を要件とする。
【００１３】
前記請求項３の筆記具用キャップ１によれば、キャップ１を筆記具本体５のペン先側に装着した際、内キャップ３の頂壁３１の薄肉部３５が後方に撓み変形することにより、環状シール内面部２４及び環状シール外面部３４が経時によりクリープ変形することを回避し、長期にわたり環状シール内面部２４と環状シール外面部３４との十分なシール性を得ることができる。
【００１４】
〔４〕前記請求項１〜３の筆記具用キャップ１において，前記環状シール内面部２４及び環状シール外面部３４を構成する傾斜面は、テーパ面であってもよいが、前記環状シール内面部２４または前記環状シール外面部３４の少なくとも一方を凸曲面とすることが好ましい。それにより、環状シール内面部２４と環状シール外面部３４との接触が線状接触となり、筆記具本体５の小さい押し込み力で前記環状シール内面部２４と前記環状シール外面部３４との確実なシール性が得られる。もし、環状シール内面部２４及び環状シール外面部３４の両者がテーパ面である場合、確実なシール性を得るためには、筆記具本体５をキャップ１に装着する際の大きな押し込み力が必要となってしまう。
【発明の効果】
【００１５】
請求項１により、外キャップの通気孔と内キャップの凸部とが密接するシール部の経時によるクリープ変形を回避し、長期にわたりシール部の十分なシール性を得ることができる。
【００１６】
請求項２により、外キャップの通気孔と内キャップの凸部とが密接するシール部の経時によるクリープ変形を回避し、長期にわたりシール部の十分なシール性を得ることができる。
【００１７】
請求項３により、外キャップの通気孔と内キャップの凸部とが密接するシール部の経時によるクリープ変形を回避し、長期にわたりシール部の十分なシール性を得ることができる。
【００１８】
請求項４により、筆記具本体の小さい押し込み力で、外キャップの通気孔と内キャップの凸部とが密接するシール部における確実なシール性が得られる。
【発明を実施するための最良の形態】
【００１９】
本発明を実施するための最良の形態を、以下に図面に従って説明する。
【実施例１】
【００２０】
図１及び図２に本発明の第１実施例を示す。本実施例の筆記具用キャップ１は、主に、外キャップ２と、該外キャップ２内に収容され且つ前後に摺動可能な内キャップ３と、該外キャップ２内に収容され且つ該内キャップ３を後方に付勢する弾発体４（コイルスプリング）とからなる。
【００２１】
前記外キャップ２は、合成樹脂（例えば、ポリプロピレン樹脂）の射出成形により得られる円筒体である。前記外キャップ２は、円筒状の側壁２２と、該側壁２２の前端部より径方向内方に突出する頂壁２１とからなる。前記外キャップ２の後端部は、筆記具本体５のペン先側が挿入可能に開口される。
【００２２】
前記外キャップ２の頂壁２１の軸心には、通気孔２３が軸方向に貫設される。前記通気孔２３の内面には、後方に向かうに従い次第に内径が大きくなる傾斜面（具体的には、テーパ面）よりなる環状シール内面部２４が形成される。前記通気孔２３の近傍かつ通気孔２３を包囲する部分の頂壁２１には、外キャップ２の他の部分に比べ薄肉の環状の薄肉部２５が形成される。前記薄肉部２５は、環状シール内面部２４と、外キャップ２内面（外キャップ２の頂壁２１または外キャップ２の側壁２２）とを一体に連結し、径方向内方に延び且つ軸方向の可撓性を有する。前記薄肉部２５の肉厚Ｔ１は、適正な弾性変形が得られ且つ十分な強度を有する点で、０．１ｍｍ〜０．６ｍｍの範囲が好ましい。
【００２３】
前記外キャップ２の側壁２２の内面には、筆記具本体５と気密嵌合する環状突起よりなる環状気密部２８が形成される。さらに、前記環状気密部２８の前方の外キャップ２の側壁２２の内面には、内キャップ３の外面の外方突起３６と係止する内方突起２６が形成される。前記内方突起２６と外方突起３６の係止により、内キャップ３の後方移動が規制される。
【００２４】
さらに、外キャップ２の内面は、前方の小内径部と後方の大内径部とからなり、前記小内径部と大外径部との間に段部２７が形成される。前記段部２７は、環状シール内面部２４を備えた通気孔２３の後方位置且つ前記内方突起２６の前方位置に配置される。前記段部２７は、内キャップ３外面の肩部３７と前後方向に当接可能であり、前記段部２７と肩部３７との当接により、内キャップ３の前方移動が規制される。
【００２５】
前記内キャップ３は、合成樹脂（例えば、ポリプロピレン樹脂）の射出成形より得られる円筒体である。前記内キャップ３は、前端部が頂壁３１により閉鎖され、後端部が筆記具本体５のペン先６が挿入可能に開口される。
【００２６】
前記内キャップ３の頂壁３１の軸心には、前方に突出する凸部３３が一体に形成される。前記凸部３３の外面は、後方に向かうに従い次第に外径が大きくなる傾斜面である凸曲面（具体的には球面）となり、該凸曲面が、環状シール外面部３４となる。前記環状シール外面部３４は、キャップ１を筆記具本体５のペン先側に装着した際、前記外キャップ２の通気孔２３の環状シール内面部２４と密接する。さらに、前記凸部３３外面の凸曲面が球面であることにより、内キャップ３の軸線が外キャップ２の軸線に対して傾いたとしても、環状シール外面部３４と環状シール内面部２４との確実なシール性が維持される。
【００２７】
前記凸部３３の近傍外方であり且つ凸部３３を包囲する部分の頂壁３１には、内キャップ３の他の部分に比べ薄肉の環状の薄肉部３５が形成される。前記薄肉部３５は、環状シール外面部３４と内キャップ３内面（即ち内キャップ３の側壁３２）とを一体に連結し、径方向に延び且つ軸方向の可撓性を有する。前記薄肉部３５の肉厚Ｔ２は、適正な弾性変形が得られ且つ十分な強度を有する点で、０．１ｍｍ〜０．６ｍｍの範囲が好ましい。
【００２８】
前記内キャップ３の外面には、前方の小外径部と後方の大外径部とからなり、前記小外径部と大外径部の間に肩部３７が形成される。前記肩部３７は、外キャップ２内面の段部２７と前後方向に当接可能であり、前記肩部３７と段部２７の当接により、内キャップ３の前方移動が規制され、通気孔２３に対する凸部３３の押し込み量を一定にできる。
【００２９】
前記内キャップ３の外面には、外方突起３６が一体に形成される。前記外方突起３６が、キャップ１を筆記具本体５に装着しないとき、外キャップ２内面の内方突起２６と前後方向に当接し、内キャップ３の後方への脱落を防止する。また、前記内キャップ３の側壁３２には、窓孔３８が径方向に貫通される。
【００３０】
また、前記外キャップ２内の、外キャップ２の頂壁２１内面と内キャップ３の肩部３７との間には、圧縮コイルスプリングよりなる弾発体４が配置される。前記弾発体４により、内キャップ３が常時後方に付勢される。
【００３１】
図２に本実施例のキャップ装着状態の筆記具本体５を示す。前記筆記具本体５は、前端が開口された有底筒状の軸筒７と、該軸筒７の前端開口部に嵌入される複数の櫛歯８１からなるインキ保溜部材８と、該インキ保溜部材８の前端に保持されるペン先６と、該ペン先６と接続され且つ該インキ保溜部材８の軸心孔８５に挿着されるインキ誘導芯８６とを備える。
【００３２】
前記軸筒７は、合成樹脂（例えば、ポリプロピレン樹脂）の射出成形により得られる。前記軸筒７内のインキ保溜部材８の後方には、インキを直に貯溜するためのインキタンク７２が形成される。前記軸筒７の前端開口部の外面には、外キャップ２の環状気密部２８と乗り越えによる気密嵌合する環状突起よりなる環状気密部７１が形成される。
【００３３】
前記インキ保溜部材８は、合成樹脂（例えば、ＡＢＳ樹脂）の射出成形により得られる。前記インキ保溜部材８は、複数の円板状の櫛歯８１と、前記櫛歯８１間に形成されたインキ保溜溝８２と、前記複数の櫛歯８１に軸方向に貫設されたインキ誘導スリット８３と、前記櫛歯８１に形成された切り欠き状の空気溝８４とを備える。また、前記インキ保溜部材８の軸心には軸心孔８５が貫設され、該軸心孔８５にインキ誘導芯８６（例えば、合成樹脂押出成形体または繊維束樹脂加工体）が挿着される。また、前記インキ保溜部材８の前端部には、ペン先６（例えば、繊維束樹脂加工体）が環状のペン先保持部材６１を介して取り付けられる。前記環状のペン先保持部材６１は、ペン先６の後部外周面を保持し、且つ、インキ保溜部材８の前端部外周面に嵌着される。前記インキ誘導芯８６の前端は、前記ペン先６の後端に突き刺し接続され、前記インキ誘導芯８６の後端は、インキタンク７２内に露出されている。
【００３４】
本実施例の作用を説明する。本実施例のキャップ１を筆記具本体５のペン先側に装着すると、軸筒７の前端部と内キャップ３の後端部とが当接し、内キャップ３が弾発体４の後方への付勢に抗して前方に移動される。前記内キャップ３が前方移動することにより、凸部３３が通気孔２３に挿入され、通気孔２３内面の環状シール内面部２４と凸部３３外面の環状シール外面部３４が密接するとともに、軸筒７外面の環状気密部７１と外キャップ２内面の環状気密部２８とが気密嵌合する。それにより、筆記具本体５のペン先側が密封される。
【００３５】
また、本実施例のキャップ１は、筆記具本体５のペン先側が密封されるまでは、キャップ１内は、外キャップ２の通気孔２３及び内キャップ３の窓孔３８を通して外気と連通される。そのため、キャップ装着過程で加圧空気を筆記具本体５内に流入させるおそれがない。
【００３６】
さらに、本実施例のキャップ１は、環状シール内面部２４と環状シール外面部３４が密接した際、外キャップ２の薄肉部２５が前方に僅かに撓み変形すると同時に、内キャップ３の薄肉部３５が後方に僅かに撓み変形する。それにより、シール部（即ち、環状シール内面部２４、環状シール外面部３４）自体の経時によるクリープ変形が回避され、シール部の長期に渡る十分なシール性が維持される。
【実施例２】
【００３７】
図３及び図４に本発明の第２実施例を示す。本実施例の筆記具用キャップ１は、主に、外キャップ２と、該外キャップ２内に収容され且つ前後に摺動可能な内キャップ３と、該外キャップ２内に収容され且つ該内キャップ３を後方に付勢する弾発体４（コイルスプリング）とからなる。
【００３８】
前記外キャップ２は、合成樹脂（例えば、ポリプロピレン樹脂）の射出成形により得られる円筒体である。前記外キャップ２は、円筒状の側壁２２と、該側壁２２の前端部より径方向内方に突出する頂壁２１とからなる。前記外キャップ２の後端部は、筆記具本体５のペン先側が挿入可能に開口される。
【００３９】
前記外キャップ２の頂壁２１の中心には、通気孔２３が軸方向に貫設される。前記通気孔２３の内面には、後方に向かうに従い次第に内径が大きくなる傾斜面（具体的には、テーパ面）よりなる環状シール内面部２４が形成される。前記通気孔２３の近傍且つ通気孔２３を包囲する部分の頂壁２１には、外キャップ２の他の部分に比べ薄肉の環状の薄肉部２５が形成される。前記薄肉部２５は、環状シール内面部２４と、外キャップ２内面（外キャップ２の頂壁２１または外キャップ２の側壁２２）とを一体に連結し、径方向内方に延び且つ軸方向の可撓性を有する。前記薄肉部２５の肉厚Ｔ１は、適正な弾性変形が得られ且つ十分な強度を有する点で、０．１ｍｍ〜０．６ｍｍの範囲が好ましい。
【００４０】
前記外キャップ２の側壁２２の内面には、筆記具本体５と気密嵌合する環状突起よりなる環状気密部２８が形成される。さらに、前記環状気密部２８の前方の外キャップ２の側壁２２の内面には、内キャップ３の外面の外方突起３６と係止する内方突起２６が形成される。前記内方突起２６と外方突起３６の係止により内キャップ３の後方移動が規制される。
【００４１】
さらに、外キャップ２の内面は、前方の小内径部と後方の大内径部とからなり、前記小内径部と大外径部との間に段部２７が形成される。前記段部２７は、環状シール内面部２４を備えた通気孔２３の後方位置且つ前記内方突起２６の前方位置に配置される。前記段部２７は、内キャップ３外面の肩部３７と前後方向に当接可能であり、前記段部２７と肩部３７との当接により、内キャップ３の前方移動が規制される。
【００４２】
前記内キャップ３は、合成樹脂（例えば、ポリプロピレン樹脂）の射出成形より得られる円筒体である。前記内キャップ３は、前端部が頂壁３１により閉鎖され、後端部が筆記具本体５のペン先６が挿入可能に開口される。
【００４３】
前記内キャップ３の頂壁３１の軸心には、前方に突出する凸部３３が一体に形成される。前記凸部３３外面には、径方向外方に突出する薄肉部３５が一体に形成され、前記凸部は、横断面略Ｔ字形状を有する。前記薄肉部３５は、内キャップ３の他の部分に比べ薄肉に形成される。前記薄肉部３５は、内キャップ３の頂壁３１の凸部３３外面と環状シール外面部３４とを一体に連結し、径方向に延び且つ軸方向の可撓性を有する。前記薄肉部３５の肉厚Ｔ２は、適正な弾性変形が得られ且つ十分な強度を有する点で、０．１ｍｍ〜０．６ｍｍの範囲が好ましい。
【００４４】
前記薄肉部３５の周縁部外面は、後方に向かうに従い次第に外径が大きくなる傾斜面である凸曲面（具体的には球面）となり、該凸曲面が、環状シール外面部３４となる。キャップ１を筆記具本体５のペン先側に装着した際、前記環状シール外面部３４は、前記外キャップ２の通気孔２３の環状シール内面部２４と密接する。さらに、前記環状シール外面部３４の凸曲面が球面であることにより、内キャップ３の軸線が外キャップ２の軸線に対して傾いたとしても、環状シール外面部３４と環状シール内面部２４との確実なシール性が維持される。
【００４５】
前記内キャップ３の外面には、前方の小外径部と後方の大外径部とからなり、前記小外径部と大外径部の間に肩部３７が形成される。前記肩部３７は、外キャップ２内面の段部２７と前後方向に当接可能であり、前記肩部３７と段部２７の当接により、内キャップ３の前方移動が規制され、通気孔２３に対する凸部３３の押し込み量を一定にできる。
【００４６】
前記内キャップ３の外面には、外方突起３６が一体に形成される。前記外方突起３６が、キャップ１を筆記具本体５に装着しないとき、外キャップ２内面の内方突起２６と前後方向に当接し、内キャップ３の後方への脱落を防止する。また、前記内キャップ３の側壁３２には、窓孔３８が径方向に貫通される。
【００４７】
また、前記外キャップ２内の、外キャップ２の頂壁２１内面と内キャップ３の肩部３７との間には、圧縮コイルスプリングよりなる弾発体４が配置される。前記弾発体４により、内キャップ３が常時後方に付勢される。
【００４８】
図２に本実施例のキャップ装着状態の筆記具本体５を示す。前記筆記具本体５は、前端が開口された有底筒状の軸筒７と、該軸筒７の前端開口部に嵌入される複数の櫛歯８１からなるインキ保溜部材８と、該インキ保溜部材８の前端に保持されるペン先６と、該ペン先６と接続され該インキ保溜部材８の軸心孔８５に挿着されるインキ誘導芯８６とを備える。
【００４９】
前記軸筒７は、合成樹脂（例えば、ポリプロピレン樹脂）の射出成形により得られる。前記軸筒７内のインキ保溜部材８の後方には、インキを直に貯溜するためのインキタンク７２が形成される。前記軸筒７の前端開口部の外面には、外キャップ２の環状気密部２８と乗り越えによる気密嵌合する環状突起よりなる環状気密部７１が形成される。
【００５０】
前記インキ保溜部材８は、合成樹脂（例えば、ＡＢＳ樹脂）の射出成形により得られる。前記インキ保溜部材８は、複数の円板状の櫛歯８１と、前記櫛歯８１間に形成されたインキ保溜溝８２と、前記複数の櫛歯８１に軸方向に貫設されたインキ誘導スリット８３と、前記櫛歯８１に形成された切り欠き状の空気溝８４とを備える。また、前記インキ保溜部材８の軸心には軸心孔８５が貫設され、該軸心孔８５にインキ誘導芯８６（例えば、合成樹脂押出成形体または繊維束樹脂加工体）が挿着される。また、前記インキ保溜部材８の前端部には、ペン先６（例えば、繊維束樹脂加工体）が環状のペン先保持部材６１を介して取り付けられる。前記環状のペン先保持部材６１は、ペン先６の後部外周面を保持し、且つ、インキ保溜部材８の前端部外周面に嵌着される。前記インキ誘導芯８６の前端は、前記ペン先６の後端に突き刺し接続され、前記インキ誘導芯８６の後端は、インキタンク７２内に露出されている。
【００５１】
本実施例の作用を説明する。本実施例のキャップ１を筆記具本体５のペン先側に装着すると、軸筒７の前端部と内キャップ３の後端部とが当接し、内キャップ３が弾発体４の後方への付勢に抗して前方に移動される。前記内キャップ３が前方移動することにより、凸部３３が通気孔２３に挿入され、通気孔２３内面の環状シール内面部２４と凸部３３外面の環状シール外面部３４が密接するとともに、軸筒７外面の環状気密部７１と外キャップ２内面の環状気密部２８とが気密嵌合する。それにより、筆記具本体５のペン先側が密封される。
【００５２】
また、本実施例のキャップ１は、筆記具本体５のペン先側が密封されるまでは、キャップ１内は、外キャップ２の通気孔２３及び内キャップ３の窓孔３８を通して外気と連通される。そのため、キャップ装着過程で加圧空気を筆記具本体５内に流入させるおそれがない。
【００５３】
さらに、本実施例のキャップ１は、環状シール内面部２４と環状シール外面部３４が密接した際、外キャップ２の薄肉部２５が前方に僅かに撓み変形すると同時に、内キャップ３の薄肉部３５が後方に僅かに撓み変形する。それにより、シール部（即ち、環状シール内面部２４、環状シール外面部３４）自体の経時によるクリープ変形が回避され、シール部の長期に渡る十分なシール性が維持される。
【図面の簡単な説明】
【００５４】
【図１】本発明の第１実施例の縦断面図を示す。
【図２】図１のキャップを筆記具本体に装着した状態を示す。
【図３】本発明の第２実施例の縦断面図を示す。
【図４】図３のキャップを筆記具本体に装着した状態を示す。
【符号の説明】
【００５５】
１  筆記具用キャップ
２  外キャップ
２１  頂壁
２２  側壁
２３  通気孔
２４  環状シール内面部
２５  薄肉部
２６  内方突起
２７  段部
２８  環状気密部
３  内キャップ
３１  頂壁
３２  側壁
３３  凸部
３４  環状シール外面部
３５  薄肉部
３６  外方突起
３７  肩部
３８  窓孔
４  弾発体
５  筆記具本体
６  ペン先
６１  ペン先保持部材
７    軸筒
７１  環状気密部
７２  インキタンク
８  インキ保溜部材
８１  櫛歯
８２  インキ保溜溝
８３  インキ誘導スリット
８４  空気溝
８５  軸心孔
８６  インキ誘導芯
Ｔ１  薄肉部２５の肉厚
Ｔ２  薄肉部３５の肉厚
【図１】
2005041096.tif 000003
【図２】
2005041096.tif 000004
【図３】
2005041096.tif 000005
【図４】
2005041096.tif 000006